(57)【要約】【課題】電子辞書装置において、追加インストールする個々の辞書データに応じて、本体内メモリかまたはメモリカードの何れかを適切に推奨してダウンロードして記憶する。【解決手段】辞書管理サーバ２０などから各種所望の利用対象レベルの追加辞書を選択的にインストールする場合、辞書利用者対象レベルテーブル１２ｋに記憶された各種各辞書の利用者対象レベル（初・中・上級）に基づき、各追加辞書毎に記憶すべき推奨メモリが本体内追加辞書データメモリ１２ｇかまたはメモリカード（外部記憶媒体）１３かが決定される。各追加の辞書データは、例えば同種内蔵辞書がない場合、同種内蔵辞書があっても追加辞書の利用者対象レベルに上級が含まれる場合、上級でなくても同種内蔵辞書の利用者対象レベル以上である場合において追加辞書データメモリ１２ｇに記憶され、同種内蔵辞書の利用者対象レベルより低レベルである場合にメモリカード１３に記憶される。【選択図】      図１
2005165472.tif 000002
【特許請求の範囲】
【請求項１】
複数の辞書データを内蔵し、キー操作に応じて選択された辞書データの情報を表示する電子辞書装置であって、
追加の辞書データを記憶するための装置本体内部に設けられた追加辞書記憶手段と、
外部からメモリカードを着脱自在に接続する外部メモリ接続手段と、
外部から追加の辞書の辞書データを受信する追加辞書受信手段と、
内蔵の辞書と追加の辞書との関係に基づいて、当該追加の辞書の辞書データを記憶するための記憶先として前記追加辞書記憶手段またはメモリカードを推奨して設定する推奨メモリ設定手段と、
この推奨メモリ設定手段により推奨設定された前記追加の辞書データの記憶先に従って、前記追加辞書受信手段により受信された追加の辞書データを前記追加辞書記憶手段に記憶させるか、または外部メモリ接続手段により接続されたメモリカードに記憶させる追加辞書記憶制御手段と、
を備えたことを特徴とする電子辞書装置。
【請求項２】
さらに、
前記推奨メモリ設定手段により推奨設定された前記追加の辞書データの記憶先の情報を表示する推奨メモリ表示手段を備えたことを特徴とする請求項１に記載の電子辞書装置。
【請求項３】
さらに、
前記推奨メモリ設定手段により推奨設定された前記追加の辞書データの記憶先を任意に変更設定する推奨メモリ変更設定手段を備えたことを特徴とする請求項１または請求項２に記載の電子辞書装置。
【請求項４】
前記推奨メモリ設定手段は、
内蔵の辞書の種類に対し追加の辞書の種類が異なる場合には、当該追加の辞書の辞書データを記憶するための記憶先として前記追加辞書記憶手段を推奨して設定することを特徴とする請求項１乃至請求項３の何れか１項に記載の電子辞書装置。
【請求項５】
前記推奨メモリ設定手段は、
内蔵の辞書の種類に対し追加の辞書の種類が異なる場合には、当該追加の辞書の辞書データを記憶するための記憶先として前記追加辞書記憶手段を推奨して設定し、同一種類である場合には、内蔵の辞書の利用者対象レベルと追加の辞書の利用者対象レベルとに基づいて、当該追加の辞書の辞書データを記憶するための記憶先として前記追加辞書記憶手段またはメモリカードを推奨して設定することを特徴とする請求項１乃至請求項３の何れか１項に記載の電子辞書装置。
【請求項６】
前記推奨メモリ設定手段は、
内蔵の辞書の利用者対象レベルに対し追加の辞書の利用者対象レベルが上級レベルである場合には、当該追加の辞書の辞書データを記憶するための記憶先として前記追加辞書記憶手段を推奨して設定することを特徴とする請求項５に記載の電子辞書装置。
【請求項７】
前記推奨メモリ設定手段は、
内蔵の辞書の利用者対象レベルに対し追加の辞書の利用者対象レベルが低いレベルである場合には、当該追加の辞書の辞書データを記憶するための記憶先として前記メモリカードを推奨して設定することを特徴とする請求項５に記載の電子辞書装置。
【請求項８】
前記推奨メモリ設定手段は、
内蔵の辞書の利用者対象レベルに対し追加の辞書の利用者対象レベルが低いレベルであり且つそれが初級レベルである場合には、当該追加の辞書の辞書データを記憶するための記憶先として前記メモリカードを推奨して設定することを特徴とする請求項５に記載の電子辞書装置。
【請求項９】
複数の辞書データを内蔵し、キー操作に応じて選択された辞書データの情報を表示し、追加の辞書データを記憶するための装置本体内部に設けられた追加辞書記憶手段と、外部からメモリカードを着脱自在に接続する外部メモリ接続手段とを有する電子辞書装置のコンピュータを制御するための電子辞書制御プログラムであって、
前記コンピュータを、
外部から追加の辞書の辞書データを受信する追加辞書受信手段、
内蔵の辞書と追加の辞書との関係に基づいて、当該追加の辞書の辞書データを記憶するための記憶先として前記追加辞書記憶手段または前記メモリカードを推奨して設定する推奨メモリ設定手段、
この推奨メモリ設定手段により推奨設定された前記追加の辞書データの記憶先に従って、前記追加辞書受信手段により受信された追加の辞書データを前記追加辞書記憶手段に記憶させるか、または前記外部メモリ接続手段により接続されたメモリカードに記憶させる追加辞書記憶制御手段、
として機能させるようにしたコンピュータ読み込み可能な電子辞書制御プログラム。
【請求項１０】
複数の辞書データを内蔵し、キー操作に応じて選択された辞書データの情報を表示し、追加の辞書データを記憶するための装置本体内部に設けられた追加辞書記憶手段と、外部からメモリカードを着脱自在に接続する外部メモリ接続手段とを有する電子辞書装置を制御するための電子辞書制御方法であって、
内蔵の辞書と追加の辞書との関係に基づいて、当該追加の辞書の辞書データを記憶するための記憶先として前記追加辞書記憶手段または前記メモリカードを推奨して設定する推奨メモリ設定ステップと、
外部から追加の辞書の辞書データを受信する追加辞書受信ステップと、
前記推奨メモリ設定ステップにて推奨設定された前記追加の辞書データの記憶先に従って、前記追加辞書受信ステップにて受信された追加の辞書データを前記追加辞書記憶手段に記憶させるか、または前記外部メモリ接続手段により接続されたメモリカードに記憶させる追加辞書記憶制御ステップと、
からなることを特徴とする電子辞書制御方法。
【発明の詳細な説明】
【技術分野】
【０００１】
本発明は、電子データ化した種々の辞書データベースを記憶して各種の言語訳や語句の意味内容などを検索するための電子辞書装置、およびその制御プログラム、制御方法に関する。
【背景技術】
【０００２】
従来から、国語辞典，英和辞典，百科事典などの各種の辞典や辞書を電子データ化してＲＯＭなどの記憶媒体に格納し、これに基づき各種の言語や語句を見出し語として入力し、その訳語や意味内容などを検索して表示するようにした電子辞書装置が広く汎用されている。
【０００３】
そして、近年このような電子辞書装置では、例えばユーザレベルの変化や利用分野の変化などによって新たな辞典，辞書データベースが必要になった場合に、所望の辞書データベースが記録され販売されているＣＤ−ＲＯＭを購入してＰＣ(personal computer)を介し追加インストールしたり、インターネット上に開設されている電子辞書メーカの管理サイトからＰＣを介し所望の辞書データベースをダウンロードにより購入して追加インストールしたりできるようにしている。こうすることで、電子辞書装置それ自体の別機種への買い換えを行わずに済むようにしている。
【０００４】
ここで、電子辞書装置に対して外部から追加インストールされた辞書データベースは、当該電子辞書装置の内部において追加辞書用として設定されたメモリ領域や後付けされる拡張メモリなどに記憶される。そして、このように追加インストールされた辞書データベースについて、更なるユーザレベルの変化などにより、そのうち幾つかの辞書データが不要となってしまった場合、当該不要となった辞書データはメモリから消去される。
【０００５】
すなわち、書籍による辞書であれば、不要になれば別の人に貸したり譲ったりすることが可能であるが、電子データとして内部メモリに記憶された辞書データについてこれを行うことはできない。
【０００６】
一方、電子辞書装置に対して外部から追加インストールした辞書データベースをフラッシュメモリなどのメモリカードに記憶させることで、当該メモリカードに記憶させた各辞書データの全てが不要となった場合には、これを人に貸したり譲ったりすることが可能とはなる。しかしながら、例えば永年使用したい辞書データが１つでも含まれていると、これを貸すことはできても譲ることはできず、また、これを貸したり自己使用したりする都度、当該メモリカードの差し直しが必要で非常に面倒な問題がある。
【０００７】
なお、各種の情報コンテンツを携帯端末の内蔵メモリに直接ダウンロードするのではなく、まずはメモリカードにダウンロードし、このメモリカードを携帯端末に装着して利用するようにした情報配信方法が考えられている（例えば、特許文献１参照。）。
【０００８】
また、フラッシュＲＯＭにダウンロードした圧縮プログラムをＲＡＭ上で解凍して実行するようにした情報処理装置も考えられている（例えば、特許文献２参照。）。
【特許文献１】特開２００２−１２３６８９号公報
【特許文献２】特開平０７−２８１９０４号公報
【発明の開示】
【発明が解決しようとする課題】
【０００９】
しかしながら、前記背景技術によるデータダウンロードとそのダウンロードデータを利用するシステムでは、何れの場合でも、ダウンロードデータの格納先は予め指定した内蔵メモリかまたはメモリカードなどの外部メモリの何れか一方に定まるため、特に電子辞書装置において、例えば永年使用可能な辞書データについては内部メモリに、そうでない辞書データについてはメモリカードに、予め指定することなく適切に分けてダウンロードして記憶することはできない。
【００１０】
本発明は、このような課題に鑑みなされたもので、追加インストールする個々の辞書データに応じて、本体内メモリかまたはメモリカードの何れかを適切に推奨してダウンロードして記憶することが可能になる電子辞書装置、および電子辞書制御プログラム、電子辞書制御方法を提供することを目的とする。
【課題を解決するための手段】
【００１１】
本発明の請求項１に係る電子辞書装置は、複数の辞書データを内蔵し、キー操作に応じて選択された辞書データの情報を表示する電子辞書装置であって、追加の辞書データを記憶するための装置本体内部に設けられた追加辞書記憶手段と、外部からメモリカードを着脱自在に接続する外部メモリ接続手段とを有し、推奨メモリ設定手段によって、内蔵の辞書と追加の辞書との関係に基づいて、当該追加の辞書の辞書データを記憶するための記憶先として前記追加辞書記憶手段またはメモリカードが推奨されて設定される。すると追加辞書記憶制御手段によって前記推奨設定された追加の辞書データの記憶先に従って、追加辞書受信手段により受信された追加の辞書データが前記追加辞書記憶手段に記憶されるか、または外部メモリ接続手段により接続されたメモリカードに記憶される。
【００１２】
これによれば、内蔵の辞書と追加の辞書との種類や利用者レベルなどの関係に基づいて、追加の辞書の辞書データを内部メモリである追加辞書記憶手段と外部メモリであるメモリカードとのそれぞれに適切に振り分けて記憶させることでき、例えば永年使用可能な追加の辞書データは内部メモリに、将来不要になる追加の辞書データはメモリカードに記憶させて容易に貸したり譲渡したりできることになる。
【００１３】
本発明の請求項２に係る電子辞書装置は、前記請求項１に係る電子辞書装置にあって、さらに、前記推奨メモリ設定手段により推奨設定された前記追加の辞書データの記憶先の情報を表示する推奨メモリ表示手段を備える。
【００１４】
これによれば、追加の辞書データの推奨の記憶先が装置内部の追加辞書記憶手段であるか外部のメモリカードであるかを表示で容易に確認できることになる。
【００１５】
本発明の請求項３に係る電子辞書装置は、前記請求項１または請求項２に係る電子辞書装置にあって、さらに、前記推奨メモリ設定手段により推奨設定された前記追加の辞書データの記憶先を任意に変更設定する推奨メモリ変更設定手段を備える。
【００１６】
これによれば、追加の辞書データを推奨設定通りに本体内部の追加辞書記憶手段に記憶させるか外部のメモリカードに記憶させるかを、ユーザが任意に変更できることになる。
【００１７】
本発明の請求項４に係る電子辞書装置は、前記請求項１乃至請求項３の何れか１項に係る電子辞書装置にあって、前記推奨メモリ設定手段は、内蔵の辞書の種類に対し追加の辞書の種類が異なる場合には、当該追加の辞書の辞書データを記憶するための記憶先として前記追加辞書記憶手段を推奨して設定する。
【００１８】
これによれば、内蔵辞書としては記憶されていない種類の追加の辞書データを本体内に記憶させて永年的に使用できることになる。
【００１９】
本発明の請求項５に係る電子辞書装置は、前記請求項１乃至請求項３の何れか１項に係る電子辞書装置にあって、前記推奨メモリ設定手段は、内蔵の辞書の種類に対し追加の辞書の種類が異なる場合には、当該追加の辞書の辞書データを記憶するための記憶先として前記追加辞書記憶手段を推奨して設定し、同一種類である場合には、内蔵の辞書の利用者対象レベルと追加の辞書の利用者対象レベルとに基づいて、当該追加の辞書の辞書データを記憶するための記憶先として前記追加辞書記憶手段またはメモリカードを推奨して設定する。
【００２０】
これによれば、内蔵辞書としては記憶されていない種類の追加の辞書データについては本体内に記憶させて永年的に使用でき、内蔵辞書と同種の追加の辞書データについては、内蔵辞書と追加辞書それぞれの利用者対象レベルに応じて、永年的使用可能性の高い追加辞書については本体内部の追加辞書記憶手段に記憶させて使用でき、将来不要になる可能性の高い追加辞書については外部のメモリカードに記憶させて使用できることになる。
【００２１】
本発明の請求項６に係る電子辞書装置は、前記請求項５に係る電子辞書装置にあって、前記推奨メモリ設定手段は、内蔵の辞書の利用者対象レベルに対し追加の辞書の利用者対象レベルが上級レベルである場合には、当該追加の辞書の辞書データを記憶するための記憶先として前記追加辞書記憶手段を推奨して設定する。
【００２２】
これによれば、内蔵辞書と異なる種類の追加の辞書でその利用者対象レベルが上級レベルである追加の辞書データについては、永年使用の辞書データとして本体内部の追加辞書記憶手段に記憶させて使用できることになる。
【００２３】
本発明の請求項７に係る電子辞書装置は、前記請求項５に係る電子辞書装置にあって、前記推奨メモリ設定手段は、内蔵の辞書の利用者対象レベルに対し追加の辞書の利用者対象レベルが低いレベルである場合には、当該追加の辞書の辞書データを記憶するための記憶先として前記メモリカードを推奨して設定する。
【００２４】
これによれば、内蔵辞書と異なる種類の追加の辞書でその利用者対象レベルが内蔵辞書のレベルより低い追加の辞書データについては、貸与や譲渡可能な辞書データとして外部のメモリカードに記憶させて使用できることになる。
【００２５】
本発明の請求項８に係る電子辞書装置は、前記請求項５に係る電子辞書装置にあって、前記推奨メモリ設定手段は、内蔵の辞書の利用者対象レベルに対し追加の辞書の利用者対象レベルが低いレベルであり且つそれが初級レベルである場合には、当該追加の辞書の辞書データを記憶するための記憶先として前記メモリカードを推奨して設定する。
【００２６】
これによれば、内蔵辞書と異なる種類の追加の辞書でその利用者対象レベルが内蔵辞書のレベルより低く初級レベルの追加の辞書データについては、貸与や譲渡可能な辞書データとして外部のメモリカードに記憶させて使用できることになる。
【発明の効果】
【００２７】
本発明の請求項１（請求項９）（請求項１０）に係る電子辞書装置（電子辞書制御プログラム）（電子辞書制御方法）によれば、内蔵の辞書と追加の辞書との種類や利用者レベルなどの関係に基づいて、追加の辞書の辞書データを内部メモリである追加辞書記憶手段と外部メモリであるメモリカードとのそれぞれに適切に振り分けて記憶させることでき、例えば永年使用可能な追加の辞書データは内部メモリに、将来不要になる追加の辞書データはメモリカードに記憶させて容易に貸したり譲渡したりできるようになる。
【００２８】
本発明の請求項２に係る電子辞書装置によれば、前記請求項１に係る電子辞書装置にあって、さらに、追加の辞書データの推奨の記憶先が装置内部の追加辞書記憶手段であるか外部のメモリカードであるかを表示で容易に確認できるようになる。
【００２９】
本発明の請求項３に係る電子辞書装置によれば、前記請求項１または請求項２に係る電子辞書装置にあって、さらに、追加の辞書データを推奨設定通りに本体内部の追加辞書記憶手段に記憶させるか外部のメモリカードに記憶させるかを、ユーザが任意に変更できるようになる。
【００３０】
本発明の請求項４に係る電子辞書装置によれば、前記請求項１乃至請求項３の何れか１項に係る電子辞書装置にあって、内蔵辞書としては記憶されていない種類の追加の辞書データを本体内に記憶させて永年的に使用できるようになる。
【００３１】
本発明の請求項５に係る電子辞書装置によれば、前記請求項１乃至請求項３の何れか１項に係る電子辞書装置にあって、内蔵辞書としては記憶されていない種類の追加の辞書データについては本体内に記憶させて永年的に使用でき、内蔵辞書と同種の追加の辞書データについては、内蔵辞書と追加辞書それぞれの利用者対象レベルに応じて、永年的使用可能性の高い追加辞書については本体内部の追加辞書記憶手段に記憶させて使用でき、将来不要になる可能性の高い追加辞書については外部のメモリカードに記憶させて使用できるようになる。
【００３２】
本発明の請求項６に係る電子辞書装置によれば、前記請求項５に係る電子辞書装置にあって、内蔵辞書と異なる種類の追加の辞書でその利用者対象レベルが上級レベルである追加の辞書データについては、永年使用の辞書データとして本体内部の追加辞書記憶手段に記憶させて使用できるようになる。
【００３３】
本発明の請求項７に係る電子辞書装置によれば、前記請求項５に係る電子辞書装置にあって、内蔵辞書と異なる種類の追加の辞書でその利用者対象レベルが内蔵辞書のレベルより低い追加の辞書データについては、貸与や譲渡可能な辞書データとして外部のメモリカードに記憶させて使用できるようになる。
【００３４】
本発明の請求項８に係る電子辞書装置によれば、前記請求項５に係る電子辞書装置にあって、内蔵辞書と異なる種類の追加の辞書でその利用者対象レベルが内蔵辞書のレベルより低く初級レベルの追加の辞書データについては、貸与や譲渡可能な辞書データとして外部のメモリカードに記憶させて使用できるようになる。
【００３５】
よって、本発明によれば、追加インストールする個々の辞書データに応じて、本体内メモリかまたはメモリカードの何れかを適切に推奨してダウンロードして記憶することが可能になる電子辞書装置、および電子辞書制御プログラム、電子辞書制御方法を提供できる。
【発明を実施するための最良の形態】
【００３６】
以下図面により本発明の実施の形態について説明する。
【００３７】
図１は本発明の電子辞書装置の実施形態に係る携帯機器（電子辞書）１０の電子回路の構成を示すブロック図である。
【００３８】
この携帯機器（電子辞書）１０は、以下に説明する電子辞書機能を備えたＰＤＡ(personal digital assistants)として構成されるか、電子辞書専用の携帯機器として構成される。この携帯機器（電子辞書）１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００３９】
ＣＰＵ１１は、メモリ１２内に予め記憶された装置制御プログラム、あるいはメモリカード（ＲＯＭ／ＥＥＰＲＯＭ／ＲＡＭ）などの外部記録媒体１３から記録媒体読書部１４を介して前記メモリ１２に読み込まれた装置制御プログラム、あるいはインターネットＮ上のＷｅｂサーバ（この場合はプログラムサーバ）から電送制御部１５を介して前記メモリ１２に読み込まれた装置制御プログラム、あるいは同インターネットＮ上のＷｅｂサーバ（プログラムサーバ）からユーザＰＣ(personal computer)３０および通信部１６を介して前記メモリ１２に読み込まれた装置制御プログラムに応じて、回路各部の動作を制御するもので、前記メモリ１２に記憶された装置制御プログラムは、キーやタッチパネルからなる入力部１７からのユーザ操作に応じた入力信号、あるいは電送制御部１５や通信部１６（ユーザＰＣ３０）を介して接続されるインターネットＮ上の各Ｗｅｂサーバ２０…との通信信号に応じて起動される。
【００４０】
前記ＣＰＵ１１には、前記メモリ１２、記録媒体読書部１４、電送制御部１５、通信部１６、入力部１７が接続される他に、ＬＣＤからなる表示部１８などが接続される。
【００４１】
メモリ１２には、当該携帯機器（電子辞書）１０の全体の動作を司るシステムプログラムや電送制御部１５（通信部１６）を介してインターネットＮ上の各Ｗｅｂサーバ２０…とデータ通信するための通信プログラムが記憶される他に、新たに必要な辞書データを辞書管理サーバ２０からダウンロードしたり、ＣＤ−ＲＯＭ（図示せず）からユーザＰＣ３０を介してダウンロードしたりして取り込み、当該追加の辞書の利用者対象レベル（１２ｋ）に応じて本体内部のメモリ１２（１２ｇ）に記憶したり記録媒体読書部１４を介してメモリカード（外部記録媒体）１３に記憶したりするのと共に、既に内蔵の辞書（１２ｃ）を使用する場合と同様の使い勝手にキー位置設定するための辞書追加処理プログラム１２ａ、内蔵の辞書データ（１２ｃ）および追加の辞書データ（１２ｇ）に基づき見出し語入力に応じた訳語や意味内容などの各種検索処理を行うための検索処理プログラム１２ｂが記憶される。
【００４２】
また、このメモリ１２には、内蔵辞書データメモリ１２ｃ、辞書キー位置テーブル１２ｄ、辞書キー（シフト後）位置テーブル１２ｅ、メニュー位置テーブル１２ｆ、追加辞書データメモリ１２ｇ、ワークエリア１２ｈが用意され、さらに個人情報メモリ１２ｉ、電子辞書追加情報メモリ１２ｊ、辞書利用者対象レベルテーブル１２ｋなどが用意される。
【００４３】
内蔵辞書データメモリ１２ｃには、例えばこの携帯機器（電子辞書）１０のグレード（購入者層）に応じたレベルの国語辞典や英和辞典など、各種の辞書データが予め記憶されて内蔵されるもので、例えば大人を購入者層とする場合には、国語は「○辞苑」、百科は「マイ百科事典」、漢和は「大漢字辞典」、英和は「ジ○ニアス英和辞典」、和英は「クラウ○和英辞典」、その他は「英語類語辞典」などとされる。
【００４４】
辞書キー位置テーブル１２ｄには、この携帯機器（電子辞書）１０の入力部１７に設けられ各種の辞書の種類を表記した辞書指定キー「国語」１７a1〜「和英」１７a5（図１３・図１４参照）について、当該キー操作により直接種類指定して検索対象辞書として使用される辞書名が対応付けられて記憶される。
【００４５】
図３は前記携帯機器（電子辞書）１０のメモリ１２にて管理される辞書キー位置テーブル１２ｄの一例を示す図であり、同図（Ａ）は追加の辞書が無い状態での辞書キー位置テーブル１２ｄを示す図、同図（Ｂ）は追加の辞書が有る状態での辞書キー位置テーブル１２ｄを示す図である。
【００４６】
すなわち、内蔵辞書データメモリ１２ｃに予め記憶内蔵された各辞書データの内容が前述の通りである場合には、図３（Ａ）に示すように、辞書キー位置テーブル１２ｄにおいて、辞書指定キー「国語」１７a1には「○辞苑」、辞書指定キー「百科」１７a2には「マイ百科事典」、辞書指定キー「漢和」１７a3には「大漢字辞典」、辞書指定キー「英和」１７a4には「ジ○ニアス英和辞典」、辞書指定キー「和英」１７a5には「クラウ○和英辞典」がそれぞれ対応付けられて設定される。
【００４７】
一方、例えば初期の購入ユーザが大人でその子供（例えば小学生）用としてレベルダウンするのに伴い、辞書管理サーバ２０からのダウンロードあるいはユーザＰＣ３０を使用したＣＤ−ＲＯＭからの読み込みにより追加辞書データメモリ１２ｇやメモリカード（外部記録媒体）１３に記憶された各追加辞書データの内容が、国語は「学習国語辞典」、百科は「ものしり百科事典」、漢和は「マンガ漢字辞典」、英和は「初級英和辞典」、和英は「（追加なし）」、その他は「ＩＴ用語辞典」である場合には、図３（Ｂ）に示すように、辞書キー位置テーブル１２ｄに対しては、当該追加の辞書が優先して辞書指定キー「国語」１７a1には「学習国語辞典」、辞書指定キー「百科」１７a2には「ものしり百科事典」、辞書指定キー「漢和」１７a3には「マンガ漢字辞典」、辞書指定キー「英和」１７a4には「初級英和辞典」、辞書指定キー「和英」１７a5には「クラウ○和英辞典（変更なし）」がそれぞれ対応付けられて変更設定される。
【００４８】
この辞書キー位置テーブル１２ｄにおいて、各種の辞書指定キー１７a1〜１７a5に対応付けられないその他の追加の辞書「ＩＴ用語辞典」については、後述するメニュー位置テーブル１２ｆ（図５参照）において辞書選択メニュー画面Ｍ（図１５参照）にて表示選択可能な辞書として設定される。
【００４９】
この場合、各追加の辞書データは後述する利用者対象レベル（１２ｋ）に応じて例えば永年的に使用される上級レベルの追加辞書データについては内部メモリ１２の追加辞書データメモリ１２ｇに記憶され、将来的には必要なくなる初級レベルの追加辞書データについてはメモリカード（外部記録媒体）１３に記憶されるので、永年必要な追加の辞書データは本体に記憶して永年使用でき、将来不要になった追加の辞書データはメモリカード１３として他の電子辞書装置１０のユーザに貸し出して使用できるようになる。
【００５０】
また、前記辞書の種類を指定する各辞書指定キー１７anを今まで同様の感覚で操作することで、新たにダウンロード購入した各追加の辞書を直接利用できることになる。
【００５１】
なお、この辞書キー位置テーブル１２ｄにおける各辞書指定キー１７a1〜１７a5と各辞書との対応付けの位置は、ユーザ操作により任意に変更設定可能である（図１１（Ａ）（Ａ１）参照）。
【００５２】
辞書キー（シフト後）位置テーブル１２ｅには、この携帯機器（電子辞書）１０の入力部１７に設けられた各辞書指定キー「国語」１７a1〜「和英」１７a5およびシフトキー１７ｓ（図１３・図１４参照）について、当該シフトキー１７ｓの操作によるシフト機能状態での各辞書指定キー「国語」１７a1〜「和英」１７a5のキー操作によりシフト指定した同種の検索対象辞書として使用される辞書名が対応付けられて記憶される。
【００５３】
図４は前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図である。
【００５４】
すなわち、内蔵辞書データメモリ１２ｃに予め記憶内蔵された各辞書データの内容が前述の通りであり、また追加辞書データメモリ１２ｇに何の追加の辞書データも記憶されてない場合には、図４（Ａ）に示すように、辞書キー（シフト後）位置テーブル１２ｅには、シフト＋辞書指定キー「国語」１７a1〜「和英」１７a5の何れの位置にも何も辞書は設定されない。
【００５５】
一方、例えば初期の購入ユーザが大人でその子供（例えば小学生）用としてレベルダウンするのに伴い、前述したとおりの各追加の辞書データ（国語「学習国語辞典」：百科「ものしり百科事典」：漢和「マンガ漢字辞典」：英和「初級英和辞典」：和英「（指定なし）」：その他「ＩＴ用語辞典」）がインストールされて追加辞書データメモリ１２ｇやメモリカード（外部記憶媒体）１３に対し各辞書利用者の対象レベルに応じて適切に振り分けられて記憶され、当該各追加の辞書が前記図３（Ｂ）で示したように辞書キー位置テーブル１２ｄにて各辞書指定キー「国語」１７a1〜「和英」１７a5に対応付けられて設定された場合には、図３（Ａ）で示したように、辞書追加前まで同辞書キー位置テーブル１２ｄにてキー位置設定されていた各内蔵辞書の内容（追加指定無しの辞書種を除く）が、図４（Ｂ）に示すように、この辞書キー（シフト後）位置テーブル１２ｅにおいて、シフト＋辞書指定キー「国語」１７ｓ＋１７a1には「○辞苑」、シフト＋辞書指定キー「百科」１７ｓ＋１７a2には「マイ百科事典」、シフト＋辞書指定キー「漢和」１７ｓ＋１７a3には「大漢字辞典」、シフト＋辞書指定キー「英和」１７ｓ＋１７a4には「ジ○ニアス英和辞典」としてそれぞれ対応付けられて移行設定される。
【００５６】
なお、この辞書キー（シフト後）位置テーブル１２ｅにおける各辞書指定キー１７a1〜１７a5と各辞書との対応付けの位置も、ユーザ操作により任意に変更設定可能である（図１１（Ａ）（Ａ１）参照）。
【００５７】
メニュー位置テーブル１２ｆには、この携帯機器（電子辞書）１０の入力部１７に設けられたメニューキー１７ｍ（図１３・図１４参照）の操作に伴う辞書選択メニュー画面Ｍ（図１５参照）について、当該辞書選択メニュー画面Ｍ内でカーソル指定して検索対象辞書として使用される辞書名が対応付けられて記憶される。
【００５８】
図５は前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図である。
【００５９】
すなわち、内蔵辞書データメモリ１２ｃに予め記憶内蔵された各辞書データの内容が前述の通りであり、また何の追加の辞書データもインストールされてない場合には、図５（Ａ）に示すように、メニュー位置テーブル１２ｆには、その他の種類で内蔵されている「[A]英語類語辞典」のみが設定される。
【００６０】
一方、例えば初期の購入ユーザが大人でその子供（例えば小学生）用としてレベルダウンするのに伴い、追加辞書データメモリ１２ｇにインストールされた各追加の辞書データの内容が前述の通り５辞書（「学習国語辞典」〜「ＩＴ用語辞典」）であり、そのうちの「ＩＴ用語辞典」について辞書指定キー１７anで指定する辞書の種類に属さない場合には、図５（Ｂ）に示すように、メニュー位置テーブル１２ｆにおいて、メニューキー１７ｍ（図１３・図１４参照）の操作に伴い表示される辞書選択メニュー画面Ｍには、前記内蔵の辞書「[A]英語類語辞典」に続く空きエリアに「[B]ＩＴ用語辞典」が配列されて設定される。
【００６１】
なお、このメニュー位置テーブル１２ｆによる辞書選択メニュー画面Ｍ上での各辞書の配列位置は、ユーザ操作により任意に変更設定可能である（図１１（Ｂ）参照）。
【００６２】
追加辞書データメモリ１２ｇには、本携帯機器（電子辞書）１０の購入後に、例えばユーザレベルの変化に伴い、辞書管理サーバ２０からのダウンロードあるいはユーザＰＣ３０を介したＣＤ−ＲＯＭからの読み込みにより得られた各追加の辞書データが記憶されるもので、前述した通り、例えばユーザが大人レベルから子供レベルにレベル変更した場合の各追加の辞書データの内容は、国語「学習国語辞典」、百科「ものしり百科事典」、漢和「マンガ漢字辞典」、英和「初級英和辞典」、和英「（なし）」、その他「ＩＴ用語辞典」とされる。
【００６３】
ワークエリア１２ｈには、前記辞書追加処理プログラム１２ａや検索処理プログラム１２ｂなどの各種の装置制御処理プログラムに従いＣＰＵ１１に入出力される種々のデータが必要に応じて記憶される。
【００６４】
個人情報メモリ１２ｉには、通信ネットワーク（インターネット）Ｎ上の各Ｗｅｂサーバ２０…との通信に伴う電子商取引において通知を要するユーザの銀行口座番号・認証ＩＤなどが記憶登録される。
【００６５】
電子辞書追加情報メモリ１２ｊには、前記辞書追加処理プログラム１２ａに従った辞書追加処理に伴い辞書管理サーバ２０から通知される当該携帯機器（電子機器）１０に対する追加可能な辞書タイトルとその辞書データの容量・価格などの情報と共に、内蔵辞書と各追加辞書の利用者対象レベルに基づき設定される各追加辞書毎の格納先情報（推奨メモリ）が記憶される（図１０（Ｂ）参照）。
【００６６】
図２は前記携帯機器（電子辞書）１０での辞書追加処理に伴い通信ネットワーク（インターネット）Ｎを介してアクセスされる辞書管理サーバ２０の電子回路の構成を示すブロック図である。
【００６７】
この辞書管理サーバ２０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００６８】
ＣＰＵ２１は、メモリ２２内に予め記憶されたサーバ制御プログラム２２ａ、あるいはＣＤ−ＲＯＭなどの外部記録媒体２３から記録媒体読取部２４を介して前記メモリ２２に読み込まれたサーバ制御プログラム２２ａ、あるいはインターネットＮ上の他のＷｅｂサーバ（この場合はプログラムサーバ）から電送制御部２５を介して前記メモリ２２に読み込まれたサーバ制御プログラム２２ａに応じて、回路各部の動作を制御するもので、前記メモリ２２に記憶されたサーバ制御プログラム２２ａは、電送制御部２５から通信ネットワーク（インターネット）Ｎを介して接続される携帯機器（電子辞書）１０やユーザＰＣ３０、他のＷｅｂサーバとの通信信号に応じて起動される。
【００６９】
前記ＣＰＵ２１には、前記メモリ２２、記録媒体読取部２４、電送制御部２５が接続される他に、入力部２６、ＬＣＤからなる表示部２７などが接続される。
【００７０】
そして、メモリ２２内のサーバ制御プログラム２２ａとしては、当該辞書管理サーバ２０の全体の動作を司るシステムプログラム、電送制御部２５を介してインターネットＮ上の各通信端末(携帯機器（電子辞書）１０、ユーザＰＣ３０、他のＷｅｂサーバなど）とデータ通信するための通信プログラムが記憶される他に、前記インターネットＮ上の携帯機器（電子辞書）１０とのアクセスに伴い追加辞書の情報を提供し、要求された追加の辞書データをダウンロードするためのサーバ用辞書追加処理プログラムなどが記憶される。
【００７１】
また、メモリ２２には、「国語」「百科」「漢和」「英和」「和英」「その他」など、種類別にした複数レベルの各辞書データが記憶される種類別辞書データベース２２ｂが備えられ、さらに、各辞書情報メモリ２２ｃ、顧客端末別購入情報メモリ２２d1，２２d2，…が備えられる。
【００７２】
各辞書情報メモリ２２ｃには、前記種類別辞書データベース２２ｂに記憶された各辞書データのタイトル別に、その収容語数、使用用途、対象ユーザレベル、データ容量、販売価格、推薦情報などが記憶される。
【００７３】
顧客端末別購入情報メモリ２２d1，２２d2，…には、この辞書管理サーバ２０とのアクセスに伴い辞書追加処理が実施された各携帯機器（電子辞書）１０毎の内蔵辞書タイトル２２dn1、追加辞書タイトル２２dn2、ユーザ個人情報２２dn3、請求価格２２dn4が記憶される。
【００７４】
図６は前記携帯機器（電子辞書）１０のメモリ１２にて管理される辞書利用者対象レベルテーブル１２ｋの一例を示す図である。
【００７５】
この辞書利用者対象レベルテーブル１２ｋには、例えば本携帯機器（電子辞書）１０にインストール可能な全ての種類の各辞書について、各辞書毎の利用者対象レベルが対応付けられて記憶される。
【００７６】
次に、前記構成の携帯機器（電子辞書）１０および辞書管理サーバ２０それぞれの動作について説明する。
【００７７】
図７は前記携帯機器（電子辞書）１０と辞書管理サーバ２０との間で実施される辞書追加処理を示すフローチャートであり、同図（Ａ）は携帯機器（電子辞書）１０側の辞書追加処理を示すフローチャート、同図（Ｂ）は辞書管理サーバ２０側の辞書追加処理を示すフローチャートである。
【００７８】
図８は前記携帯機器（電子辞書）１０と辞書管理サーバ２０との間で実施される辞書追加処理に伴う追加辞書の推奨メモリ決定処理を示すフローチャートである。
【００７９】
図９は前記携帯機器（電子辞書）１０と辞書管理サーバ２０との間で実施される辞書追加処理に伴う追加辞書のキー位置設定処理を示すフローチャートであり、同図（Ａ）は携帯機器（電子辞書）１０側のキー位置設定処理を示すフローチャート、同図（Ｂ）は辞書管理サーバ２０側のキー位置設定処理を示すフローチャートである。
【００８０】
図１０は前記携帯機器（電子辞書）１０での辞書追加処理に伴う表示動作を示す図であり、同図（Ａ）は「○辞苑」での見出し語入力画面Ｇ１を示す図、同図（Ｂ）は追加辞書購入選択画面Ｇ２を示す図である。
【００８１】
図１１は前記携帯機器（電子辞書）１０の辞書追加処理に伴うキー位置設定処理での表示動作を示す図であり、同図（Ａ）は辞書指定キー位置設定画面Ｇ３を示す図、同図（Ｂ）は辞書指定キー優先のキー位置設定である場合のメニュー位置設定画面Ｇｍを示す図、同図（Ｃ）は辞書選択メニュー対象のキー位置設定である場合のメニュー位置設定画面Ｇｍを示す図である。
【００８２】
携帯機器（電子辞書）１０において、例えば図１０（Ａ）に示すように、辞書指定キー「国語辞典」１７a1を操作すると、辞書キー位置テーブル１２ｄ（図３（Ａ）参照）にて対応付けられた「○辞苑」の辞書データに基づく見出し語入力画面Ｇ１が表示される。
【００８３】
ここで、「シフト」キー１７ｓと「メニュー」キー１７ｍの操作により、辞書管理サーバ２０への通信開始が指示されると（ステップＡ１）、通信部１６からユーザＰＣ３０経由での接続か、または電送制御部１５からの直接接続かが判断される（ステップＡ２）。
【００８４】
ここで、通信部１６を介しＵＳＢ（Universal Serial Bus）ケーブルによってユーザＰＣ３０との接続が検知された場合には、当該ユーザＰＣ３０との通信接続処理が行われインターネットＮ上の辞書管理サーバ２０にアクセスされる（ステップＡ３）。また、通信カードなどを使用した電送制御部１５の接続が検知された場合には、当該電送制御部１５を介して直接インターネットＮ上の辞書管理サーバ２０に接続されアクセスされる（ステップＡ４）。
【００８５】
すると、内蔵辞書データメモリ１２ｃに記憶されている内蔵された各辞書データおよび追加辞書データメモリ１２ｇに既に追加されて記憶されている各辞書データが有る場合にはその追加の辞書データも含め、現在内蔵中の各辞書データのタイトルと追加辞書データメモリ１２ｇにおいて追加記憶可能な空き容量とが辞書管理サーバ２０へ送信される（ステップＡ５）。
【００８６】
辞書管理サーバ２０において、前記携帯機器（電子辞書）１０からの接続が検知されると（ステップＢ１）、当該携帯機器（電子辞書）１０において送信された現在内蔵中の各辞書データのタイトルと追加記憶可能なメモリ空き容量とが受信され、顧客端末別購入情報メモリ２２dnに記憶される（ステップＢ２）。
【００８７】
すると、この顧客端末別購入情報メモリ２２dnに記憶されたアクセス中の携帯機器（電子辞書）１０の内蔵中の各辞書以外でそのメモリ空き容量に応じて追加可能な各辞書データのタイトルが、各辞書情報メモリ２２ｃに記憶されている個々の辞書データそれぞれの情報に基づき「国語辞書」「百科辞典」「漢和辞書」などの種類別に抽出される（ステップＢ３）。そして、前記携帯機器（電子辞書）１０における各内蔵辞書のタイトルと共に、前記抽出された各追加可能辞書のタイトルおよびその容量／価格情報が携帯機器（電子辞書）１０へ送信される（ステップＢ４）。
【００８８】
携帯機器（電子辞書）１０では、前記辞書管理サーバ２０から送信された当該携帯機器１０の各内蔵辞書のタイトル、そして各追加可能辞書のタイトルおよびその容量／価格情報が受信されると、これらの受信情報は電子辞書追加情報メモリ１２ｊに記憶される（ステップＡ６ａ）。
【００８９】
そして、前記辞書管理サーバ２０より受信記憶された各追加可能辞書のそれぞれについて、当該携帯機器（電子辞書）１０での記憶先のメモリを決定するための追加辞書推奨メモリ決定処理（図８参照）に移行される（ステップＡＸ）。
【００９０】
この追加辞書推奨メモリ決定処理では、まず、前記辞書管理サーバ２０より受信記憶された各追加可能辞書のうちの先頭辞書が指定され（ステップＸ１）、この指定された追加可能辞書（追加候補辞書）の利用者対象レベルが辞書利用者対象レベルテーブル１２ｋ（図６参照）から読み出される（ステップＸ２）。
【００９１】
また、この指定の追加可能辞書と同じ種類である内蔵辞書が特定され、その利用者対象レベルが前記辞書利用者対象レベルテーブル１２ｋ（図６参照）から読み出される（ステップＸ３）。
【００９２】
ここで、前記指定の追加可能辞書と同種の内蔵辞書が無いか否（有る）かが判断され（ステップＸ４）、指定の追加可能辞書と同種の内蔵辞書は無いと判断された場合には、この種類の辞書としては本携帯機器（電子辞書）１０にこれまで搭載が無いため、当該追加可能辞書の推奨メモリは本体メモリである追加辞書データメモリ１２ｇに設定される（ステップＸ４→Ｘ５）。
【００９３】
一方、前記指定の追加可能辞書と同種の内蔵辞書が有ると判断された場合には、前記ステップＸ２において読み出された当該追加可能辞書の利用者対象レベルに“上級”が含まれるか否か判断される（ステップＸ４→Ｘ６）。
【００９４】
ここで、前記指定の追加可能辞書の利用者対象レベルに“上級”が含まれると判断された場合には、例えば永年使用可能な辞書であるため、当該追加可能辞書の推奨メモリは本体メモリである追加辞書データメモリ１２ｇに設定される（ステップＸ６→Ｘ７）。
【００９５】
さらに、前記指定の追加可能辞書と同種の内蔵辞書が有ると判断されると共に、当該追加可能辞書の利用者対象レベルに“上級”は含まれないと判断された場合には、この追加可能辞書の利用者対象レベルの上限レベルが前記ステップＸ３において読み出された同種の内蔵辞書の利用者対象レベルよりも低レベルであるか否か判断される（ステップＸ４→Ｘ６→Ｘ８）。
【００９６】
ここで、前記指定の追加可能辞書の利用者対象レベルの上限が同種の内蔵辞書の利用者対象レベルよりも低レベルであると判断された場合には、当該指定の追加可能辞書は例えばユーザがレベルアップする将来的には不要になると考えられるため、この追加可能辞書の推奨メモリは着脱して他の携帯機器（電子辞書）１０で利用可能なメモリカード（外部記録媒体）１３に設定される（ステップＸ８→Ｘ９）。
【００９７】
一方、前記指定の追加可能辞書の利用者対象レベルの上限が同種の内蔵辞書の利用者対象レベルと同等以上であると判断された場合には、例えば当該追加可能辞書は前記同種の内蔵辞書以上に永年使用できると考えられるため、この追加可能辞書の推奨メモリは本体メモリである追加辞書データメモリ１２ｇに設定される（ステップＸ８→Ｘ１０）。
【００９８】
こうして、先頭指定の追加可能辞書についての推奨メモリが決定されると、次の追加可能辞書の有無が判断され、当該次の追加可能辞書がある場合には、この追加可能辞書が新たに指定されて前記同様の処理により推奨メモリが決定される（ステップＸ１１→Ｘ２〜Ｘ１０）。
【００９９】
なお、前記追加可能辞書についての推奨メモリを決定する条件としては、前記ステップＸ４，Ｘ６，Ｘ８での条件判断に限らず、例えば追加辞書の利用者対象レベルが内蔵辞書の利用者対象レベルよりも低く且つ初級レベルである場合にメモリカード１３として決定したり、追加辞書の利用者対象レベルが内蔵辞書の利用者対象レベルよりも低く且つ中級レベル以下である場合にメモリカード１３として決定したりするなど、使用状況に応じて多様に設定すればよい。
【０１００】
この後、前記ステップＸ２〜Ｘ１１による追加辞書の推奨メモリ決定処理が繰り返されることで、前記辞書管理サーバ２０において抽出されダウンロード辞書の候補として受信記憶された各追加可能辞書それぞれの推奨メモリが決定される。
【０１０１】
すなわち、本実施形態の携帯機器（電子辞書）１０において、その内蔵辞書データメモリ１２ｃに記憶されている各内蔵の辞書データを、前述した通り国語「○辞苑」：百科「マイ百科事典」：漢和「大漢字辞典」：英和「ジ○ニアス英和辞典」：和英「クラウ○和英辞典」：その他「英語類語辞典」とした場合に、辞書管理サーバ２０において抽出された各追加可能辞書が、例えば国語「学習国語辞典」「明海国語辞典」：百科「学習百科事典」「ものしり百科事典」：漢和「漢字源」「マンガ漢字辞典」：英和「初級英和辞典」「リ○ダース英和辞典」：和英「ビジネス和英辞典」「ジュニアー和英辞典」：その他「ＩＴ用語辞典」である場合の各追加可能辞書についての推奨メモリは、前記推奨メモリ決定処理に従い次の通りに決定される。
【０１０２】
例えば追加可能辞書（国語）の「学習国語辞典」は、同種の内蔵辞書「○辞苑」有り（ステップＸ４(No)）、利用者対象レベルに“上級”無し（ステップＸ６(No)）、同種内蔵辞書「○辞苑」の利用者対象レベル“中・上級”より低レベル“初級”（ステップＸ８(No)）と判断されるので、当該追加可能辞書「学習国語辞典」は例えばユーザがレベルアップする将来的には不要になると考えられ、追加インストール後の推奨メモリはメモリカード（外部記録媒体）１３に決定される（ステップＸ９）。
【０１０３】
また、例えば追加可能辞書（百科）の「ものしり百科事典」は、同種の内蔵辞書「マイ百科事典」有り（ステップＸ４(No)）、利用者対象レベルに“上級”無し（ステップＸ６(No)）、同種内蔵辞書「マイ百科事典」の利用者対象レベル“初・中・上級”より低レベル“初級”（ステップＸ８(No)）と判断されるので、当該追加可能辞書「ものしり百科事典」についても例えばユーザがレベルアップする将来的には不要になると考えられ、追加インストール後の推奨メモリはメモリカード（外部記録媒体）１３に決定される（ステップＸ９）。
【０１０４】
また、他の追加可能辞書である例えば（漢和）「マンガ漢字事典」、（英和）「初級英和辞典」の何れの場合も、前記同様に例えばユーザがレベルアップする将来的には不要になると考えられ、追加インストール後の推奨メモリはメモリカード（外部記録媒体）１３に決定される（ステップＸ９）。
【０１０５】
さらに、例えば追加可能辞書（その他）の「ＩＴ用語事典」は、同種の内蔵辞書無し（ステップＸ４(Yes)）と判断されるので、この種類の辞書としては本携帯機器（電子辞書）１０にこれまで搭載が無いため、当該追加可能辞書の推奨メモリは本体メモリである追加辞書データメモリ１２ｇに設定される（ステップＸ４→Ｘ５）。
【０１０６】
こうした追加辞書の推奨メモリ決定処理により、前記辞書管理サーバ２０において抽出され受信記憶された各追加可能辞書に対応する推奨メモリが、例えば国語「学習国語辞典（カード）」「明海国語辞典（カード）」：百科「学習百科事典（カード）」「ものしり百科事典（カード）」：漢和「漢字源（本体）」「マンガ漢字辞典（カード）」：英和「初級英和辞典（カード）」「リ○ダース英和辞典（本体）」：和英「ビジネス和英辞典（本体）」「ジュニアー和英辞典（カード）」：その他「ＩＴ用語辞典（本体）」として決定されると、図１０（Ｂ）に示すように、左エリアに現在内蔵中の種類別の辞書タイトル、右エリアに各追加可能辞書のタイトルを同種類別にその推奨メモリ／データ容量／価格と共に表配列にした追加辞書購入選択画面Ｇ２が表示される（ステップＡ６ａ）。
【０１０７】
この際、前記推奨メモリ決定処理に従い決定され、各追加可能辞書に対応付けられて表示された推奨メモリ（カード／本体）は、図１０（Ｂ１）に示すように、当該推奨メモリの表示エリアにカーソルを合わせて「スーパージャンプ」キー１７ｊを操作することで、そのキー操作毎にカード又は本体の何れか一方に任意に変更されて表示される。
【０１０８】
このように、追加辞書購入選択画面Ｇ２が表示部１８に表示された状態で、カーソルキー１７ｋおよび「訳／決定」キー１７ｙの操作により所望の追加可能辞書がユーザ選択されて指定され、反転表示（黒丸表示）などにより識別表示されると、この識別表示された追加購入対象辞書それぞれのデータ容量／価格から、残りのメモリ空き容量（残容量）および合計購入価格が計算され、「残量／金額計」の欄に表示される（ステップＡ７）。
【０１０９】
そして、ユーザ所望の追加の辞書が選択識別表示された状態で「訳／決定」キー１７ｙの操作により追加辞書の購入の決定が行われると、図１１（Ａ）に示すように、辞書指定キー位置設定画面Ｇ３が表示される。この辞書指定キー位置設定画面Ｇ３において、入力部１７における英数キーの操作によりユーザのクレジット番号が入力されると、前記選択決定された追加の辞書タイトル及び合計購入金額と共に、入力されたユーザのクレジット番号は辞書管理サーバ２０へ送信され（ステップＡ８）、図９（Ａ）における追加辞書のキー位置設定処理に移行される（ステップＡＣ）。
【０１１０】
辞書管理サーバ２０において、前記携帯機器（電子辞書）１０から送信された追加要求の各種辞書タイトル及び合計購入金額、クレジット番号が受信されると、アクセス中の携帯機器１０に対応する顧客端末別購入情報メモリ２２dnに記憶されているユーザ個人情報２２dn3に基づき、受信されたクレジット番号が認証され（ステップＢ５）、図９（Ｂ）における追加辞書のキー位置設定処理に移行される（ステップＢＤ）。
【０１１１】
なお、本実施形態において、携帯機器（電子辞書）１０のユーザは、例えば購入時は大人で現在その子供への移行段階にあるものとし、内蔵辞書データメモリ１２ｃには、例えば前述の通り「○辞苑」「マイ百科事典」「大漢字辞典」「ジ○ニアス英和辞典」「クラウ○和英辞典」「英語類語辞典」が各内蔵辞書として記憶されている。そして、辞書キー位置テーブル１２ｄには、図３（Ａ）で示したように、各辞書指定キー「国語」１７a1〜「和英」１７a5に対応した辞書として前記各内蔵辞書「○辞苑」〜「クラウ○和英辞典」が設定され、辞書キー（シフト後）位置テーブル１２ｅは、図４（Ａ）で示したように、未設定となっている。
【０１１２】
さらに、メニュー位置テーブル１２ｆには、図５（Ａ）で示したように、その先頭の配列位置[A]に「英語類語辞典」が設定されている。
【０１１３】
そして、今回の辞書追加処理における子供レベルへのユーザ移行に伴う追加の辞書としては、「国語」「百科」「漢和」「英和」「和英（指定なし）」「その他」の各種類において「学習国語辞典」「ものしり百科事典」「マンガ漢字辞典」「初級英和辞典」「ＩＴ用語事典」が選択指定されたものとする。
【０１１４】
図９に示す追加辞書のキー位置設定処理が起動されると、前記指定の追加辞書を呼び出すための操作位置を、辞書選択メニュー画面Ｍ（図１５参照）上のみとするか、又は辞書指定キー１７anの位置優先とするかが、例えば前記図１１（Ａ）で示した辞書指定キー位置設定画面Ｇ３上での項目選択に応じて判断される（ステップＣ１）。
【０１１５】
ここで、辞書指定キー１７anに優先的に対応付けた追加辞書の位置設定であると判断されると、前記追加辞書のうちで先頭の辞書「学習国語辞典」が指定され（ステップＣ１→Ｃ２）、その辞書の種類が「国語」であることが検知される（ステップＣ３）。
【０１１６】
すると、この「国語」の種類の内蔵辞書が有るか否か判断され（ステップＣ４）、この場合には、「国語」の内蔵辞書として「○辞苑」があると判断され、この内蔵辞書「○辞苑」が対応付けられて設定されている辞書キー位置テーブル１２ｄ（図３（Ａ）参照）の辞書指定キー「国語」１７a1の位置に、図３（Ｂ）に示すように、前記追加の辞書「学習国語辞典」が対応付けられて変更設定される（ステップＣ４→Ｃ５）。
【０１１７】
そして、前記辞書追加前まで辞書キー位置テーブル１２ｄ（図３（Ａ）参照）の辞書指定キー「国語」１７a1に対応付けられて設定されていた内蔵の辞書「○辞苑」のキー位置は、図４（Ｂ）に示すように、辞書キー（シフト後）位置テーブル１２ｅにおける「国語」のシフト後設定位置に変更設定される（ステップＣ６）。
【０１１８】
すると、次の追加辞書「ものしり百科事典」が指定され（ステップＣ８）、その辞書の種類が「百科」であることが検知される（ステップＣ３）。
【０１１９】
すると、この「百科」の種類の内蔵辞書が有るか否か判断され（ステップＣ４）、この場合には、「百科」の内蔵辞書として「マイ百科事典」があると判断され、この内蔵辞書「マイ百科事典」が対応付けられて設定されている辞書キー位置テーブル１２ｄ（図３（Ａ）参照）の辞書指定キー「百科」１７a2の位置に、図３（Ｂ）に示すように、前記追加の辞書「ものしり百科事典」が対応付けられて変更設定される（ステップＣ４→Ｃ５）。
【０１２０】
そして、前記辞書追加前まで辞書キー位置テーブル１２ｄ（図３（Ａ）参照）の辞書指定キー「百科」１７a2に対応付けられて設定されていた内蔵の辞書「マイ百科事典」のキー位置は、図４（Ｂ）に示すように、辞書キー（シフト後）位置テーブル１２ｅにおける「百科」のシフト後設定位置に変更設定される（ステップＣ６）。
【０１２１】
すると、次の追加辞書「マンガ漢字辞典」が指定され（ステップＣ８）、その辞書の種類が「漢和」であることが検知される（ステップＣ３）。
【０１２２】
すると、この「漢和」の種類の内蔵辞書が有るか否か判断され（ステップＣ４）、この場合には、「漢和」の内蔵辞書として「大漢字辞典」があると判断され、この内蔵辞書「大漢字辞典」が対応付けられて設定されている辞書キー位置テーブル１２ｄ（図３（Ａ）参照）の辞書指定キー「漢和」１７a3の位置に、図３（Ｂ）に示すように、前記追加の辞書「マンガ漢字辞典」が対応付けられて変更設定される（ステップＣ４→Ｃ５）。
【０１２３】
そして、前記辞書追加前まで辞書キー位置テーブル１２ｄ（図３（Ａ）参照）の辞書指定キー「漢和」１７a3に対応付けられて設定されていた内蔵の辞書「大漢字辞典」のキー位置は、図４（Ｂ）に示すように、辞書キー（シフト後）位置テーブル１２ｅにおける「漢和」のシフト後設定位置に変更設定される（ステップＣ６）。
【０１２４】
すると、さらに次の追加辞書「初級英和辞典」が指定され（ステップＣ８）、その辞書の種類が「英和」であることが検知される（ステップＣ３）。
【０１２５】
すると、この「英和」の種類の内蔵辞書が有るか否か判断され（ステップＣ４）、この場合には、「英和」の内蔵辞書として「ジ○ニアス英和辞典」があると判断され、この内蔵辞書「ジ○ニアス英和辞典」が対応付けられて設定されている辞書キー位置テーブル１２ｄ（図３（Ａ）参照）の辞書指定キー「英和」１７a4の位置に、図３（Ｂ）に示すように、前記追加の辞書「初級英和辞典」が対応付けられて変更設定される（ステップＣ４→Ｃ５）。
【０１２６】
そして、前記辞書追加前まで辞書キー位置テーブル１２ｄ（図３（Ａ）参照）の辞書指定キー「英和」１７a4に対応付けられて設定されていた内蔵の辞書「ジ○ニアス英和辞典」のキー位置は、図４（Ｂ）に示すように、辞書キー（シフト後）位置テーブル１２ｅにおける「英和」のシフト後設定位置に変更設定される（ステップＣ６）。
【０１２７】
この後、さらに次の追加辞書「ＩＴ用語事典」が指定され（ステップＣ８）、その辞書の種類が「その他」であることが検知され（ステップＣ３）、同種の内蔵辞書が存在しないと判断された場合には（ステップＣ４）、図５（Ｂ）に示すように、当該追加辞書「ＩＴ用語事典」を呼び出すためのキー位置は、メニュー位置テーブル１２ｆの空きエリア[B]に設定される（ステップＣ７）。
【０１２８】
そして、ステップＣ８において、キー位置が未設定である次の追加辞書無しと判断されると、図１１（Ａ）で示した辞書指定キー位置設定画面Ｇ３において、前記辞書キー位置テーブル１２ｄに基づきキー位置が設定された各辞書指定キー「国語」１７a1〜「和英」１７a5と各追加の辞書との対応位置（ノーマル：Ｈ）、および前記辞書キー（シフト後）位置テーブル１２ｅに基づきシフト機能を伴うキー位置が設定された各辞書指定キー「国語」１７a1〜「和英」１７a5と各内蔵の辞書との対応位置（シフト後：Ｈｓ）をそれぞれ任意に変更設定可能な状態になる（ステップＣ９）。
【０１２９】
例えば、図１１（Ａ１）に示すように、各辞書指定キー「国語」１７a1〜「和英」１７a5に対応表示された各内蔵辞書の表示位置（シフト後：Ｈｓ）を、所望の位置変更を行いたい各辞書表示エリア間（「○辞苑」と「大漢字辞典」間）でカーソルキー１７ｋ及びスーパージャンプキー１７ｊを操作して入れ替え、「訳／決定」キー１７ｙを操作することで、適宜更新されて表示される（ステップＣ９）。
【０１３０】
また、「次ページ」キー１７puの操作に応じて、図１１（Ｂ）で示したメニュー位置設定画面Ｇｍが表示され、このメニュー位置設定画面Ｇｍにおいて表示された各辞書の配列位置は、所望の位置変更を行いたい各辞書表示位置間でカーソルキー１７ｋ及びスーパージャンプキー１７ｊを操作することで入れ替えられ、「訳／決定」キー１７ｙを操作することで更新されて表示される（ステップＣ９）。
【０１３１】
すると、前記辞書指定キー位置設定画面Ｇ３での辞書表示位置の変更に伴い前記辞書キー位置テーブル１２ｄ（図３（Ｂ）参照）上および辞書キー（シフト後）位置テーブル１２ｅ（図４（Ｂ）参照）上での入れ替え対象辞書（例えば「○辞苑」と「大漢字辞典」）の位置が変更設定され、メモリ１２にインストールされる（ステップ１０）。
【０１３２】
一方、前記ステップＣ１における辞書指定キー位置設定画面Ｇ３（図１１（Ａ）参照）上での項目選択に応じて、辞書選択メニュー画面Ｍ（図１５参照）を対象とする追加辞書の位置設定であると判断されると、当該５つの追加辞書「学習国語辞典」〜「ＩＴ用語事典」を呼び出すためのキー位置は、図１１（Ｃ）に示すように、メニュー位置テーブル１２ｆの空きエリア[B]〜[F]に順次設定され、メニュー位置設定画面Ｇｍとして表示される（ステップＣ１→Ｃ１１）。
【０１３３】
このメニュー位置設定画面Ｇｍにおいて表示された各辞書の配列位置は、所望の位置変更を行いたい各辞書表示位置間でカーソルキー１７ｋ及びスーパージャンプキー１７ｊを操作することで入れ替えられ、「訳／決定」キー１７ｙを操作することで更新されて表示される（ステップＣ９）。
【０１３４】
すると、前記メニュー位置設定画面Ｇｍ上での表示配列位置の変更に伴い前記メニュー位置テーブル１２ｆ（図５（Ｂ）参照）上での入れ替え対象辞書の位置が変更設定され、メモリ１２にインストールされる（ステップＣ１０）。
【０１３５】
すなわち、選択購入された追加の各辞書を呼び出すためのキー位置は、それまで内蔵の各辞書が対応付けられて設定されていた各辞書指定キー１７a1〜１７a5の種類毎に新たに対応付けられて設定され、代わって前記内蔵の各辞書を呼び出すためのキー位置は、シフト機能を伴う各辞書指定キー１７a1〜１７a5に対応付けられて設定されると共に、辞書指定キー１７anの種類にはない追加の辞書については辞書選択メニュー画面Ｍ（図１５参照）上の空きエリアに順次設定されるもので（ステップＣ１→Ｃ８）、前記辞書指定キー１７a1〜１７a5のそれぞれに対応する追加辞書のキー位置および内蔵辞書のシフト後のキー位置や辞書選択メニュー画面Ｍ（図１５参照）上での追加辞書の配列表示位置は、ユーザの希望により適宜変更されて更新表示され（ステップＣ９）、辞書キー位置テーブル１２ｄおよび辞書キー（シフト後）位置テーブル１２ｅやメニュー位置テーブル１２ｆに更新設定されてインストールされる（ステップＣ１０）。
【０１３６】
このような、追加辞書のキー位置設定処理（ステップＡＣ／ＢＤ）によって、各追加の辞書およびそれまでの各内蔵辞書それぞれを呼び出すためのキー位置が、例えば図３（Ｂ），図４（Ｂ），図５（Ｂ）で示したように、辞書キー位置テーブル１２ｄ，辞書キー（シフト後）位置テーブル１２ｅ，メニュー位置テーブル１２ｆとして更新設定されると、辞書管理サーバ２０の顧客端末別購入情報メモリ２２dnに記憶されているアクセス先の携帯機器（電子辞書）１０に対応する追加辞書情報２２dn2に従い、購入対象である各追加の辞書データが種類別辞書データベース２２ｂから読出され、当該アクセス先の携帯機器（電子辞書）１０へ送信される（ステップＢ６）。
【０１３７】
すると、携帯機器（電子辞書）１０では、前記辞書管理サーバ２０から送信された各追加の辞書データが受信され、当該各追加の辞書データそれぞれについて前記推奨メモリ決定処理（図８参照）にて決定された推奨メモリ（「学習国語辞典（カード）」「ものしり百科事典（カード）」「マンガ漢字辞典（カード）」「初級英和辞典（カード）」「ＩＴ用語辞典（本体）」）に従い、メモリ１２内の追加辞書データメモリ１２ｇやメモリカード（外部記録媒体）１３に適切に振り分けられてインストールされる（ステップＡ９）。
【０１３８】
なお、携帯機器（電子機器）１０での追加辞書のキー位置設定およびその設定位置の変更による更新表示に伴い、当該携帯機器（電子機器）１０自らが辞書キー位置テーブル１２ｄ，辞書キー（シフト後）位置テーブル１２ｅ，メニュー位置テーブル１２ｆの更新設定処理を行わない場合には、前記ステップＣ９におけるシフト機能を伴わない各辞書指定キー１７a1〜１７a5およびシフト機能を伴う各辞書指定キー１７a1〜１７a5と各辞書との対応付けの更新表示情報、およびメニュー位置設定画面Ｇｍでの各辞書の配列の更新表示情報は、辞書管理サーバ２０へ送信される（ステップＣ１０′）。
【０１３９】
すると、辞書管理サーバ２０では、前記携帯機器（電子辞書）１０から受信されたシフト機能を伴わない各辞書指定キー１７a1〜１７a5およびシフト機能を伴う各辞書指定キー１７a1〜１７a5と各辞書との対応付けの更新表示情報、およびメニュー位置設定画面Ｇｍでの各辞書の配列の更新表示情報に従い、これに対応した辞書キー位置テーブル１２ｄ，辞書キー（シフト後）位置テーブル１２ｅおよびメニュー位置テーブル１２ｆを作成する（ステップＤ１０′）。
【０１４０】
そして、顧客端末別購入情報メモリ２２dnに記憶されているアクセス先の携帯機器（電子辞書）１０に対応する追加辞書情報２２dn2に従い、購入対象である各追加の辞書データを種類別辞書データベース２２ｂから読出し、前記更新作成された辞書キー位置テーブル１２ｄ，辞書キー（シフト後）位置テーブル１２ｅおよびメニュー位置テーブル１２ｆと共に当該アクセス先の携帯機器（電子辞書）１０へ送信する（ステップＢ６）。
【０１４１】
すると、携帯機器（電子辞書）１０では、前記辞書管理サーバ２０から送信された更新後の辞書キー位置テーブル１２ｄ，辞書キー（シフト後）位置テーブル１２ｅおよびメニュー位置テーブル１２ｆが受信されてメモリ１２内の対応エリアにインストールされると共に、各追加の辞書データが受信され、当該各追加の辞書データそれぞれについて前記推奨メモリ決定処理（図８参照）にて決定された推奨メモリ（「学習国語辞典（カード）」「ものしり百科事典（カード）」「マンガ漢字辞典（カード）」「初級英和辞典（カード）」「ＩＴ用語辞典（本体）」）に従い、メモリ１２内の追加辞書データメモリ１２ｇやメモリカード（外部記録媒体）１３に適切に振り分けられてインストールされる（ステップＡ９）。
【０１４２】
これにより、携帯機器（電子辞書）１０では、前記追加辞書購入選択画面Ｇ２（図１０（Ｂ）参照）において選択指定した各追加の辞書データ「学習国語辞典」「ものしり百科事典」「マンガ漢字辞典」「初級英和辞典」「ＩＴ用語事典」が、辞書管理サーバ２０からダウンロードされてメモリ１２内の追加辞書データメモリ１２ｇとメモリカード（外部記録媒体）１３に各辞書利用対象レベルに応じ適切に振り分けられてインストールされた状態になるのと共に、当該各追加の辞書をそれまでの各内蔵辞書と同様のキー操作により呼び出して使用するための辞書キー位置テーブル１２ｄ（図３（Ｂ）参照）が設定され、前記辞書指定キー位置設定画面Ｇ３（図１１（Ａ）参照）でのユーザ任意の変更操作に応じて更新設定された状態となる。
【０１４３】
図１２は前記携帯機器（電子辞書）１０による辞書表示処理を示すフローチャートである。
【０１４４】
図１３は前記携帯機器（電子辞書）１０での辞書表示処理に伴う追加辞書インストール前の各辞書呼び出しのためのキー位置状態を示す図である。
【０１４５】
図１４は前記携帯機器（電子辞書）１０での辞書表示処理に伴う追加辞書インストール後の各辞書呼び出しのためのキー位置状態を示す図である。
【０１４６】
図１５は前記携帯機器（電子辞書）１０での辞書表示処理に伴う追加辞書インストール前後の辞書選択メニュー画面Ｍを対比して示す図であり、同図（Ａ）は追加辞書インストール前の辞書選択メニュー画面Ｍを示す図、同図（Ｂ）は追加辞書インストール後の辞書選択メニュー画面Ｍを示す図である。
【０１４７】
辞書データを使用した各種用語の訳語検索や内容検索などを行う場合に、辞書表示処理が起動されると、追加辞書データメモリ１２ｇ内に追加の辞書データがインストールされて記憶されているか否か、つまり追加の辞書が有るか否か判断される（ステップＥ１）。
【０１４８】
ここで、追加の辞書無しと判断された場合には、通常の辞書表示処理に移行され、辞書指定キー１７anの操作に応じて辞書キー位置テーブル１２ｄ（図３（Ａ）参照）が参照され、内蔵辞書データメモリ１２ｃに記憶されている各種内蔵辞書の中の所望の種類の辞書データが内蔵辞書データメモリ１２ｃから呼び出され、検索対象である見出し語の入力表示状態となる。
【０１４９】
例えば図１３の（１）に示すように、内蔵辞書データ１２ｃとして「国語：○辞苑」「百科：マイ百科事典」「漢和：大漢字辞典」「英和：ジ○ニアス英和辞典」「和英：クラウ○和英辞典」「その他：英語類語辞典」が予め記憶されている追加辞書インストール前の携帯機器（電子辞書）１０にあっては、辞書キー位置テーブル１２ｄ（図３（Ａ）参照）に基づき各辞書指定キー１７a1〜１７a5の対応位置に辞書メニューＨが表示される。この辞書メニューＨに応じて所望の辞書「○辞苑」の辞書指定キー「国語」１７a1を操作すると、当該指定の内蔵辞書データ「○辞苑」が読み出され、これに従った見出し語入力画面Ｇ１の表示状態となる。
【０１５０】
なお、図１１（２）に示すように、シフトキー１７ｓを操作すると、辞書キー（シフト後）位置テーブル１２ｅ（図４（Ａ）参照）に基づき各辞書指定キー１７anそれぞれの位置に対応した辞書表示エリアを有するシフト後辞書メニューＨｓが、前記図１１（１）で示した辞書メニューＨに代わって表示部１８の下段に沿って表示される。
【０１５１】
この場合、本実施形態における追加辞書インストール前のシフト後辞書メニューＨｓでは、辞書キー（シフト後）位置テーブル１２ｅ（図４（Ａ）参照）には何の内蔵辞書の設定もないので、「メニュー」キー１７ｍの対応位置にのみ当該キー１７ｍによるシフト後機能である「通信機能」と表示される。
【０１５２】
また、メニューキー１７ｍを操作すると、図１５（Ａ）に示すように、メニュー位置テーブル１２ｆ（図５（Ａ）参照）に従った順序で各内蔵辞書のタイトルが配列された辞書選択メニュー画面Ｍが表示されるが、本実施形態における追加辞書インストール前の辞書選択メニュー画面Ｍでは、メニュー位置テーブル１２ｆ（図５（Ａ）参照）には「[A]英語類語辞典」のみ設定されて表示される。
【０１５３】
なお、この辞書選択メニュー画面Ｍにおいて内蔵辞書タイトルの表示がある場合に、カーソルキー１７ｋを操作して所望の辞書タイトルを指定すると、当該指定の内蔵辞書データが読み出されて見出し語入力画面Ｇ１の表示状態となる。
【０１５４】
一方、前記ステップＥ１において、追加辞書データメモリ１２ｇ内に追加の辞書データがインストールされて記憶されていると判断された場合には、メニューキー１７ｍの操作検出状態であるか（ステップＥ２(Yes)）、またはシフトキー１７ｓの操作検出状態であるか（ステップＥ３(Yes)）が判断される。
【０１５５】
ここで、前記メニューキー１７ｍおよびシフトキー１７ｓの何れのキー検出も無いと判断されると、図１４の（１）に示すように、辞書キー位置テーブル１２ｄ（図３（Ｂ）参照）に従い各辞書指定キー「国語」１７a1〜「和英」１７a5それぞれの位置に対応した種類の追加辞書中心の辞書タイトル表示エリアを有する辞書メニューＨが表示部１８の下段に沿って表示される（ステップＥ２→Ｅ３→Ｅ４）。
【０１５６】
ここで、例えば辞書指定キー「国語辞典」１７a1を操作すると、当該辞書指定キー「国語辞典」１７a1の操作位置に対応するところの辞書メニューＨ上に表示されている追加辞書の辞書データ「学習国語辞典」がメモリカード１３から読出され、その見出し語入力画面Ｇ１の表示状態となる（ステップＥ６→Ｅ７）。
【０１５７】
また、追加の辞書がインストールされている場合に、シフトキー１７ｓの操作が検知判断された場合には、図１４の（２）に示すように、辞書キー（シフト後）位置テーブル１２ｅ（図４（Ｂ）参照）に従い各辞書指定キー「国語」１７a1〜「和英」１７a5それぞれの位置に対応した種類の内蔵辞書タイトルの表示エリアを有するシフト後辞書メニューＨｓが表示部１８の下段に沿って表示される（ステップＥ３→Ｅ８）。
【０１５８】
このシフト後辞書メニューＨｓの表示に合わせて、例えば辞書指定キー「国語辞典」１７a1を操作すると、当該辞書指定キー「国語辞典」１７a1の操作位置に対応するところのシフト後辞書メニューＨｓ上に表示されている内蔵辞書の辞書データ「○辞苑」が内蔵辞書データメモリ１２ｃから読出され、その見出し語入力画面Ｇ１の表示状態となる（ステップＥ１０→Ｅ１１）。
【０１５９】
また、追加の辞書がインストールされている場合に、メニューキー１７ｍの操作が検知判断された場合には（ステップＥ２／Ｅ５／Ｅ９）、図１５（Ｂ）に示すように、追加辞書によるキー位置設定後のメニュー位置テーブル１２ｆ（図５（Ｂ）参照）に従った順序で各追加辞書のタイトルが配列された辞書選択メニュー画面Ｍが表示される（ステップＥ１２）。
【０１６０】
そして、この辞書選択メニュー画面Ｍにおいて、カーソルキー１７ｋを操作して所望の辞書タイトル（「英語類語辞典」又は「ＩＴ用語事典」）を選択指定することで、当該指定の辞書データが内蔵辞書データメモリ１２ｃ又は追加辞書データメモリ１２ｇから読み出されて見出し語入力画面Ｇ１の表示状態となる（ステップＥ１３→Ｅ１４）。
【０１６１】
そして、前記辞書指定キー１７anの直接操作に応じた辞書データの読出しに伴う見出し語入力画面Ｇ１、または前記シフトキー１７ｓ操作後の辞書指定キー１７anの操作に応じた辞書データの読出しに伴う見出し語入力画面Ｇ１、または辞書選択メニュー画面Ｍ上での選択操作に応じた辞書データの読出しに伴う見出し語入力画面Ｇ１において、検索対象となる見出し語を文字入力すると（ステップＥ１６）、これにより入力された見出し語の文字列が前記内蔵辞書データメモリ１２ｃや追加辞書データメモリ１２ｇあるいはメモリカード１３から読み出された辞書データから検索され、その見出し語に対応する訳語や意味内容等の対応情報が表示される（ステップＥ１７）。
【０１６２】
この場合、前記各内蔵の辞書データ１２ｃを辞書指定キー１７anやシフトキー１７ｓ，メニューキー１７ｍを使用して選択的に呼び出して辞書検索処理を行う場合と、各追加の辞書データ１２ｇを同辞書指定キー１７anやシフトキー１７ｓ，メニューキー１７ｍを使用して選択的に呼び出して辞書検索処理を行う場合とで、そのキー操作の手順ややり方は全く変わらず、しかも追加辞書のキー位置はそれまで内蔵辞書のキー位置であった辞書指定キー１７anのダイレクト操作に対応付けられて優先的に設定されるので、追加辞書のインストール後であっても、同インストール前と同じ使い勝手で、レベルアップした所望の辞書データを使用した検索処理が行えるようになる。
【０１６３】
したがって、前記構成の携帯機器（電子辞書）１０における辞書追加機能によれば、初期の購入ユーザのレベル（例えば大人）に応じた各種（「国語」「百科」「漢和」「英和」「和英」）の辞書データ（「○辞苑」「マイ百科事典」「大漢字辞典」「ジ○ニアス英和辞典」「クラウ○和英辞典」）が内蔵辞書データメモリ１２ｃに予め記憶され検索使用される。この後、例えば対象ユーザの変更（例えば子供）に伴い通信ネットワーク（インターネット）Ｎ上の辞書管理サーバ２０またはユーザＰＣ３０を介したＣＤ−ＲＯＭから各種所望のレベルの追加の辞書データ（例えば「学習国語辞典」「ものしり百科事典」「マンガ漢字辞典」「初級英和辞典」「ＩＴ用語事典」）を選択的にダウンロードしてインストールする場合には、辞書利用者対象レベルテーブル１２ｋに記憶された各種各辞書それぞれの利用者対象レベル（初・中・上級）に基づき、各種の追加辞書毎にインストールして記憶すべき推奨メモリが内部メモリである追加辞書データメモリ１２ｇかまたはメモリカード（外部記憶媒体）１３かが決定される。そして、各種それぞれの追加の辞書データは、例えば同種の内蔵辞書がない場合、同種の内蔵辞書があっても追加辞書の利用者対象レベルに上級が含まれる場合、上級レベルでなくても同種の内蔵辞書の利用者対象レベル以上である場合において内部メモリである追加辞書データメモリ１２ｇに記憶され、同種の内蔵辞書の利用者対象レベルより低レベルである場合にメモリカード１３に記憶されるので、永年的に使用可能性のある追加の辞書データについては内部メモリに記憶保存して将来にわたり直接利用することでき、利用ユーザのレベルアップに伴い将来的に不要になる追加の辞書データについては外部記憶媒体１３に記憶保存して容易に貸したり譲ったりすることができるようになる。
【０１６４】
また、前記構成の携帯機器（電子辞書）１０における辞書追加機能によれば、各追加の辞書毎に決定された推奨メモリの情報（カードまたは本体）は、各種別にその追加可能な辞書が一覧表示される追加辞書購入選択画面Ｇ２上にて当該追加可能な選択対象辞書にそれぞれ対応付けられて表示されるので、各種の追加の辞書をユーザが選択する段階で当該各追加の辞書データの記憶先が何処であるかを容易に確認できるようになる。
【０１６５】
また、前記構成の携帯機器（電子辞書）１０における辞書追加機能によれば、追加辞書購入選択画面Ｇ２上にて表示設定された各追加可能辞書毎の推奨メモリ（カードまたは本体）は、当該推奨メモリの表示位置にカーソルを合わせてジャンプキー１７ｊを操作することで変更されて表示設定されるので、ユーザ自身で任意に追加辞書の記憶保存先をカードまたは本体の何れかに設定することもできる。
【０１６６】
なお、前記実施形態では、追加辞書をダウンロードしてインストールする携帯機器（電子辞書）１０の側において、その辞書追加処理に伴う追加辞書の推奨メモリ決定処理を実行する構成としたが、辞書利用者対象レベルテーブル１２ｋを辞書管理サーバ２０にて記憶し、当該辞書管理サーバ２０において、携帯機器（電子辞書）１０から受信した各内蔵辞書の利用者対象レベルと各内蔵辞書および携帯機器１０側の空き容量に応じて抽出された各追加可能辞書の利用者対象レベルとに基づき各追加可能辞書の推奨メモリ決定処理を実行し、この各追加可能辞書の推奨メモリ決定情報を当該各追加可能辞書情報と共に携帯機器１０側へ送信し前記追加辞書購入選択画面Ｇ２として表示させる構成としてもよい。
【０１６７】
なお、前記各実施形態において記載した携帯機器（電子辞書）１０および辞書管理サーバ２０による各処理の手法、すなわち、図７のフローチャートに示す辞書追加処理、図８のフローチャートに示す当該辞書追加処理に伴う追加辞書の推奨メモリ決定処理、図９のフローチャートに示す前記辞書追加処理に伴う追加辞書のキー位置設定処理、図１２のフローチャートに示す辞書表示処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３（２３）に格納して配布することができる。そして、通信ネットワーク（インターネット）Ｎとの通信機能を備えた種々のコンピュータ端末は、この外部記録媒体１３（２３）に記憶されたプログラムを記録媒体読書（読取）部１４（２４）によってメモリ１２（２２）に読み込み、この読み込んだプログラムによって動作が制御されることにより、前記実施形態において説明した辞書追加機能を実現し、前述した手法による同様の処理を実行することができる。
【０１６８】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述した辞書追加機能を実現することもできる。
【０１６９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１７０】
なお、本願発明の電子辞書装置とは、一般的な電子辞書、電子ブックの他に、携帯電話、電子手帳、パソコンなど、辞書機能を搭載した各種の電子機器を含むものである。
【図面の簡単な説明】
【０１７１】
【図１】本発明の電子辞書装置の実施形態に係る携帯機器（電子辞書）１０の電子回路の構成を示すブロック図。
【図２】前記携帯機器（電子辞書）１０での辞書追加処理に伴い通信ネットワーク（インターネット）Ｎを介してアクセスされる辞書管理サーバ２０の電子回路の構成を示すブロック図。
【図３】前記携帯機器（電子辞書）１０のメモリ１２にて管理される辞書キー位置テーブル１２ｄの一例を示す図であり、同図（Ａ）は追加の辞書が無い状態での辞書キー位置テーブル１２ｄを示す図、同図（Ｂ）は追加の辞書が有る状態での辞書キー位置テーブル１２ｄを示す図。
【図４】前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図。
【図５】前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図。
【図６】前記携帯機器（電子辞書）１０のメモリ１２にて管理される辞書利用者対象レベルテーブル１２ｋの一例を示す図。
【図７】前記携帯機器（電子辞書）１０と辞書管理サーバ２０との間で実施される辞書追加処理を示すフローチャートであり、同図（Ａ）は携帯機器（電子辞書）１０側の辞書追加処理を示すフローチャート、同図（Ｂ）は辞書管理サーバ２０側の辞書追加処理を示すフローチャート。
【図８】前記携帯機器（電子辞書）１０と辞書管理サーバ２０との間で実施される辞書追加処理に伴う追加辞書の推奨メモリ決定処理を示すフローチャート。
【図９】前記携帯機器（電子辞書）１０と辞書管理サーバ２０との間で実施される辞書追加処理に伴う追加辞書のキー位置設定処理を示すフローチャートであり、同図（Ａ）は携帯機器（電子辞書）１０側のキー位置設定処理を示すフローチャート、同図（Ｂ）は辞書管理サーバ２０側のキー位置設定処理を示すフローチャート。
【図１０】前記携帯機器（電子辞書）１０での辞書追加処理に伴う表示動作を示す図であり、同図（Ａ）は「○辞苑」での見出し語入力画面Ｇ１を示す図、同図（Ｂ）は追加辞書購入選択画面Ｇ２を示す図。
【図１１】前記携帯機器（電子辞書）１０の辞書追加処理に伴うキー位置設定処理での表示動作を示す図であり、同図（Ａ）は辞書指定キー位置設定画面Ｇ３を示す図、同図（Ｂ）は辞書指定キー優先のキー位置設定である場合のメニュー位置設定画面Ｇｍを示す図、同図（Ｃ）は辞書選択メニュー対象のキー位置設定である場合のメニュー位置設定画面Ｇｍを示す図。
【図１２】前記携帯機器（電子辞書）１０による辞書表示処理を示すフローチャート。
【図１３】前記携帯機器（電子辞書）１０での辞書表示処理に伴う追加辞書インストール前の各辞書呼び出しのためのキー位置状態を示す図。
【図１４】前記携帯機器（電子辞書）１０での辞書表示処理に伴う追加辞書インストール後の各辞書呼び出しのためのキー位置状態を示す図。
【図１５】前記携帯機器（電子辞書）１０での辞書表示処理に伴う追加辞書インストール前後の辞書選択メニュー画面Ｍを対比して示す図であり、同図（Ａ）は追加辞書インストール前の辞書選択メニュー画面Ｍを示す図、同図（Ｂ）は追加辞書インストール後の辞書選択メニュー画面Ｍを示す図。
【符号の説明】
【０１７２】
１０  …携帯機器（電子辞書）
２０  …辞書管理サーバ
１１、２１…ＣＰＵ
１２、２２…メモリ
１２ａ…辞書追加プログラム
１２ｂ…辞書検索プログラム
１２ｃ…内蔵辞書データメモリ
１２ｄ…辞書キー位置テーブル
１２ｅ…辞書キー（シフト後）位置テーブル
１２ｆ…メニュー位置テーブル
１２ｇ…追加辞書データメモリ
１２ｈ…ワークエリア
１２ｉ…個人情報メモリ
１２ｊ…電子辞書追加情報メモリ
１２ｋ…辞書利用者対象レベルテーブル
２２ａ…サーバプログラム
２２ｂ…種類別辞書データベース
２２ｃ…各辞書情報メモリ
２２dn…顧客端末別購入情報メモリ
２２dn1…内蔵辞書タイトル
２２dn2…追加辞書タイトル
２２dn3…ユーザ個人情報
２２dn4…請求価格
１３、２３…外部記録媒体
１４、２４…記録媒体読書（読取）部
１５、２５…電送制御部
１６  …通信部
１７、２６…入力部
１７an…辞書指定キー
１７ｓ…シフトキー
１７ｍ…メニューキー
１８、２７…表示部
３０  …ユーザＰＣ
Ｎ  …通信ネットワーク（インターネット）
Ｈ  …辞書メニュー
Ｈｓ…シフト後辞書メニュー
【図１】
2005165472.tif 000003
【図２】
2005165472.tif 000004
【図３】
2005165472.tif 000005
【図４】
2005165472.tif 000006
【図５】
2005165472.tif 000007
【図６】
2005165472.tif 000008
【図７】
2005165472.tif 000009
【図８】
2005165472.tif 000010
【図９】
2005165472.tif 000011
【図１０】
2005165472.tif 000012
【図１１】
2005165472.tif 000013
【図１２】
2005165472.tif 000014
【図１３】
2005165472.tif 000015
【図１４】
2005165472.tif 000016
【図１５】
2005165472.tif 000017